(57)【要約】      （修正有）【課題】２つ以上の流体フローを受け取り、その送達を制御するように構成された流体送達Ｙサイトを提供する。【解決手段】流体フローは、弁１１４及びフロート１１２によってチャンバ内で制御される。弁の移動によってチャンバ内への一次流体のフローを低下させる又は停止させる。弁は、第２のフローポートからチャンバ内に流れ込む流体に応答してチャンバ内への第１の流体ポートを塞ぐことができる。フロートがチャンバ内に可動式に配設され、第２のフローポートからチャンバ内への流体フローに応答して弁と係合するように構成される。第２のフローポートからチャンバ内への流体フローを低下させる又はこれが止まったとき、弁及びフロートによって、一次フローポートからのフローが再びチャンバに進入し出口ポートから出て行くことが可能になる。【選択図】図４
2020171746.tif 000002
【特許請求の範囲】
【請求項１】
一次フローポート（１０８）と、
出口フローポート（１１０）と、
前記一次フローポートと前記出口フローポートの間に流体結合されたチャンバ（１０４と、
前記チャンバに流体結合された二次フローポート（１０６）と、
前記一次フローポート（１０８）と前記出口フローポート（１１０）の間で前記チャンバ（１０４）内に延在する下方部分（１３４）と、前記下方部分（１３４）から前記一次フローポート（１０８）に向かって延在する上方部分（１３２）とを有する弁ガイド（１２２）と、
前記一次フローポート（１０８）と前記弁ガイドの前記下方部分（１３４）との間で前記チャンバ（１０４）内に位置決めされた弁（１１４）と
を備え、
前記弁ガイドの前記下方部分（１３４）が前記出口フローポート（１１０）に向かう前記弁（１１４）の移動に抵抗するように構成される、流体送達Ｙサイト（１００）デバイス。
【請求項２】
前記弁（１２２）と前記出口フローポート（１１０）の間で前記チャンバ（１０４）内に位置決めされ、前記チャンバ内の流体レベルに基づいて前記弁（１１４）に対して係合するように移動するように構成される、フロート（１１２）をさらに備える、請求項１に記載の流体送達Ｙサイトデバイス。
【請求項３】
前記フロート（１１２）が、前記チャンバ（１０４）内の流体レベルに基づいて、弁（１１４）と独立して移動可能である、請求項２に記載の流体送達Ｙサイトデバイス。
【請求項４】
前記二次フローポート（１０６）が、前記弁（１１４）と前記出口フローポート（１１０）との間に位置決めされる、請求項１に記載の流体送達Ｙサイトデバイス。
【請求項５】
前記弁ガイドの前記上方部分（１３２）が、前記弁ガイドの前記下方部分（１３４）から前記一次フローポートに向かって延在する複数の指（１３６ａ、１３６ｂ、１３６ｃ）を備える、請求項１に記載の流体送達Ｙサイトデバイス。
【請求項６】
前記弁（１１４）が前記複数の指（１３６ａ、１３６ｂ、１３６ｃ）と前記弁ガイドの前記下方部分との間に位置決めされる、請求項５に記載の流体送達Ｙサイトデバイス。
【請求項７】
開口が、前記複数の指（１３６ａ、１３６ｂ、１３６ｃ）の隣接する指の間で、前記弁ガイドの前記上方部分（１３２）を通って延在する、請求項５に記載の流体送達Ｙサイトデバイス。
【請求項８】
通路（１４２）が、前記弁ガイドの前記下方部分を通って延在する、請求項１に記載の流体送達Ｙサイトデバイス。
【請求項９】
前記弁（１１４）が、一次フローポート（１０８）に対して係合するように構成された上方の凸面と、前記弁ガイドの下方部分（１３４）に対して係合するように構成された下方の凹面とを備える、請求項１に記載の流体送達Ｙサイトデバイス。
【請求項１０】
前記弁（１１４）は、前記弁の上面が前記一次フローポート（１０８）に対して係合される閉塞構成と、前記弁の下面が前記弁ガイドの前記下方部分（１３４）に対して係合される開構成とを備える、請求項１に記載の流体送達Ｙサイトデバイス。
【請求項１１】
チャンバ（１０４）と、
一次フローポート（１０８）と、
二次フローポート（１０６）と、
前記チャンバに流体結合された出口フローポート（１１０）と、
前記一次フローポート（１０８）と前記出口フローポート（１１０）との間で前記チャンバ（１０４）内に位置決めされ、閉塞構成と開構成との間で移動するように構成された弁（１１４）と、
前記弁（１１４）と前記出口フローポート（１１０）との間で前記チャンバ（１０４）内に位置決めされ、開構成において前記出口フローポート（１１０）に向かう前記弁（１１４）の移動に抵抗するように前記チャンバ（１０４）内に延在する下方部分（１３４）を有する、弁ガイド（１２２）と、
を備える流体送達Ｙサイト（１００）デバイス。
【請求項１２】
前記弁（１１４）と前記出口フローポート（１１０）との間で前記チャンバ（１０４）内に位置決めされ、前記チャンバ内の流体レベルに基づいて前記閉塞構成に向かって前記弁を移動するように構成されたフロート（１１２）をさらに備える、請求項１１に記載の流体送達Ｙサイトデバイス。
【請求項１３】
前記フロート（１１２）は、前記チャンバ（１０４）内の前記流体レベルが充填閾値を下回るとき、前記弁（１１４）の前記開構成への移行を可能にするように構成される、請求項１２に記載の流体送達Ｙサイトデバイス。
【請求項１４】
前記閉塞構成において、前記フロート（１１２）が、前記一次フローポート（１０８）に向かって前記弁を進ませるように前記弁に対して係合する、請求項１２に記載の流体送達Ｙサイトデバイス。
【請求項１５】
前記フロート（１１２）が、前記チャンバ（１０４）内の流体レベルに基づいて、弁（１１４）と独立して移動するように構成される、請求項１２に記載の流体送達Ｙサイトデバイス。
【請求項１６】
前記開構成において、前記フロート（１１２）が前記弁（１１４）から離間される、請求項１２に記載の流体送達Ｙサイトデバイス。
【請求項１７】
前記弁ガイド（１２２）は、前記下方部分（１３４）から前記一次フローポート（１０８）に向かって延在する複数の指（１３６ａ、１３６ｂ、１３６ｃ）を備える上方部分（１３２）を備える、請求項１１に記載の流体送達Ｙサイトデバイス。
【請求項１８】
前記弁ガイド（１２２）は、複数の指（１３６ａ、１３６ｂ、１３６ｃ）の間、及び前記弁ガイドの前記下方部分（１３４）と前記一次フローポート（１０８）との間で前記弁を維持するように構成される、請求項１７に記載の流体送達Ｙサイトデバイス。
【請求項１９】
前記上方部分（１３２）は、前記複数の指（１３６ａ、１３６ｂ、１３６ｃ）の隣接する指の間に開口を備え、該開口は、液体が前記弁（１１４）の半径方向の周辺部の周囲で移動することを可能にするように構成される、請求項１７に記載の流体送達Ｙサイトデバイス。
【請求項２０】
前記下方部分（１３４）は、液体が前記弁ガイド（１２２）の前記上方部分（１３２）と、記弁ガイドと前記出口フローポート（１１０）との間の前記チャンバ（１０４）の一部との間で移動することを可能にするように構成される、請求項１７に記載の流体送達Ｙサイトデバイス。
【発明の詳細な説明】
【技術分野】
【０００１】
本発明は一般に医療用の流体コネクタの分野に関し、詳細には、医療用の輸液治療において使用するためのＹサイトコネクタに関する。
【背景技術】
【０００２】
医療用の輸液治療には、針又はカテーテルを介する薬物の投与が伴う。薬物は、静脈内、筋肉内又は硬膜外の技術を利用して投与され得る。典型的には輸液治療は、管類を介して患者の静脈内の針又はカテーテルに結合された流体源を含む。流体源は、薬物、希釈剤又は任意の他の流体を含む場合があり、これらは通常、流体源から管類を通って患者の体内へと滴り落ちる。患者の体内に追加の流体を取り込み易くするために、流体源と患者の間のフローの経路内にＹサイトデバイス又はコネクタ（「Ｙサイト（Ｙ−ｓｉｔｅ）」）が設置される場合がある。
【０００３】
Ｙサイトは、二次流体源を一次流体源と患者の間に確立された流体経路に結合させることができるポートを提供する。一次及び二次流体源からの流体のフローを制御するために、各々の流体源は特定の高さでつり下げられる。例えば薬物を中に含む二次流体源を希釈剤を中に含む一次流体源を有するフローの経路に連結させることで、薬物が一次流体源から患者への流体フローにおいて患者へと送達され得る。
【発明の概要】
【課題を解決するための手段】
【０００４】
本開示の一態様は、一次フローポートと出口フローポートの間に流体結合されたチャンバと、チャンバに流体結合され、流体をチャンバに伝えるように構成された１つ又は複数の二次フローポートと、一次フローポートに隣接して位置決めされ、チャンバ内の流体レベルに基づいて閉塞構成と開構成の間を移動するように構成され、その結果、一次フローポートを通ってチャンバへと流れ込む流体フローを制御する弁とを備える流体送達Ｙサイトデバイスを提供する。
【０００５】
本開示の特定の実装形態によると、Ｙサイトデバイスを介して流体を制御する方法は、一次フローポートと出口フローポートの間に流体結合されたチャンバを用意するステップと、チャンバに流体結合され、チャンバに流体を伝えるように構成された二次フローポートを用意するステップと、一次フローポートに隣接して位置決めされる弁を用意するステップと、チャンバ内の流体レベルに基づいて閉塞構成と開構成の間で弁を移動させ、その結果、弁が一次フローポートを通ってチャンバへと流れ込む流体フローを制御するステップとを含む。
【０００６】
主題の技術の追加の特徴及び利点は、以下の記載において説明されており、その一部は、この記載から明らかになると思われ、又は主題に技術の実施によって理解される場合もある。主題の技術の利点は、その書面による記載及びそのクレーム並びに添付される図面において詳細に指摘される構造によって実現され達成されるであろう。
【０００７】
上述の包括的な記載及び以下の詳細な記載は共に、例示であり説明するものであり、主張される主題の技術のさらなる説明を提供することが意図されていることを理解されたい。
【０００８】
添付の図面は、主題の技術のさらなる理解を実現するために含まれており、この記載の一部に組み込まれこれを構成しており、主題の技術の態様を例示しており、明細書と併せて主題の技術の原理を説明する働きをする。
【図面の簡単な説明】
【０００９】
【図１】医療用輸液治療において使用されるＹサイトを示す図である。
【図２Ａ】本開示の態様による開構成における受動的再始動Ｙサイトの一実施例の前方図である。
【図２Ｂ】図２Ａの受動的再始動Ｙサイトの一部の断面図である。
【図３】本開示の態様による第１の構成における受動的再始動Ｙサイトの一実施例の前方図である。
【図４】本開示の態様による第２の構成における受動的再始動Ｙサイトの一実施例の断面図である。
【図５】本開示の態様による第３の構成における受動的再始動Ｙサイトの一実施例の断面図である。
【発明を実施するための形態】
【００１０】
以下の詳細な記載において、主題の技術の理解を与えるために特定の詳細が記載されている。しかしながら主題の技術は、このような特定の詳細の一部がなくても実施され得ることは当業者に明らかであろう。他の例では、よく知られた構造及び技法は、主題の技術を不明瞭にしないために詳細に示されていない。
【００１１】
「一態様」などのフレーズは、そのような態様が主題の技術にとって必須であること、又はそのような態様が主題の技術の全ての構成に適用されることは示唆してはいない。一態様に関連する開示は、全ての構成或いは１つ又は複数の構成に適用される可能性がある。一態様は、この開示の１つ又は複数の実例を提供する場合がある。「一態様」などのフレーズは、１つ又は複数の態様を指す場合があり、且つその逆もまた同様である。「一実施例」などのフレーズは、そのような実施例が主題の技術にとって必須であること、又はそのような実施例が、主題の技術の全ての構成に適用されることは示唆していない。一実施例に関連する開示は、全ての実施例或いは１つ又は複数の実施例に適用される可能性がある。一実施例は、この開示の１つ又は複数の実例を提供する場合がある。「一実施例」などのフレーズは１つ又は複数の実施例を指す場合があり、その逆もまた同様である。「一構成」などのフレーズは、そのような構成が主題の技術にとって必須であること、又はそのような構成が主題の技術の全ての構成に適用されることは示唆していない。一構成に関連する開示は、全ての構成或いは１つ又は複数の構成に適用される可能性がある。一構成は、この開示の１つ又は複数の実例を提供する場合がある。「一構成」などのフレーズは、１つ又は複数の構成を指す場合があり、且つその逆もまた同様である。
【００１２】
本開示は、医療用の輸液治療において使用するための受動的再始動Ｙサイトに関する。図１は、一次流体源４０２と、二次流体源４０４に流体結合された受動的再始動Ｙサイト１００を示す。受動的再始動Ｙサイト１００は、一次流体源４０２及び二次流体源４０４を受け取り、患者（図示せず）に対するこれらの送達を制御するように構成される。一部の例において、流体は、患者に向けられる前に輸液ポンプ（これも示されない）を通るように誘導される。
【００１３】
図２Ａから図３を参照すると、受動的再始動Ｙサイト１００は、チャンバ１０４と、流体がチャンバ１０４に進入することができる２つ以上のフローポートと、流体がチャンバ１０４を出て行くことができるポートとを形成する本体１０２を備える。いくつかの実施例において、本体１０２は、一次流体４０２が本体１０２に進入することができるポートと、二次流体４０４が本体１０２に進入することができるポートと、いずれかの流体が本体１０２から出て行くためのポートとを備える。好ましい一実施例において、本体１０２は、頂部ポート１０８と、底部ポート１１０とを備え、その間にチャンバ１０４を有する。頂部ポート１０８と底部ポート１１０の間で側部ポート１０６がチャンバ１０４に流体式に接続される。一次流体４０２は、頂部ポート１０８からチャンバ１０４に進入することができ、二次流体４０４は、側部ポート１０６からチャンバ１０４に進入することができる。いずれかのポートからチャンバ１０４に進入する流体は、底部ポート１１０からチャンバを出て行くことができる。ルアー式継ぎ手などの流体継ぎ手を使用して、頂部ポート１０８又は側部ポート１０６に流体源が結合されてよい。好ましい一実施例において、側部ポート１０６は、ニードルレスアクセス弁１１６を備える。
【００１４】
患者に対する２つ以上の流体のフローが、本体１０２内で受動的に制御される。より具体的には、チャンバ１０４内の流体が充填閾値を超えたとき、頂部ポート１０８からチャンバ１０４へと流れ込む一次流体４０２のフローを低下させる又は停止させる。一次流体４０２が頂部ポート１０８からチャンバ１０４に進入する又は二次流体４０４が側部ポート１０６からチャンバ１０４に進入した結果として、充填閾値を超える場合がある。チャンバ１０４内の流体が充填閾値を超えたとき、弁１１４及びフロート１１２の移動によって頂部ポート１０８からチャンバ１０４内への一次流体４０２のフローを低下させる又は停止させる。チャンバ１０４内の流体レベルが、出口又は底部ポート１１０から流出する際、チャンバ１０４内の流体レベルは低下することになる。流体レベルが充填閾値を下回ったとき、例えば側部ポート１０６からチャンバ１０４内への二次流体フロー４０４を低下させる又はこのフローが止まったとき、弁１１４及びフロート１１２はこの流体レベルに追随し、移動することで一次流体４０２が再びチャンバ１０４に流れ込むことを可能にする。
【００１５】
Ｙサイトは、患者への流体の連通に優先順位を付けるように作用する。いくつかの実施例において、Ｙサイトは、第１の流体の貯水層全体と連通する前に、チャンバを通る第２の流体と連通するように設計される。それは、二次流体がチャンバを介して伝達されるまで一次流体のフローを停止することによって、チャンバを介して伝達されるものに優先順位を付ける。二次流体４０４を取り込む際に一次流体４０２のフローを停止することによって、一次流体４０２のフローが再開される前に二次流体４０４の患者に対する完全な送達を保証することができる。一次流体４０２のフローの一部が停止される際、二次流体４０４と一次流体４０２の組み合わせを特定の比率で患者に送達することができる。
【００１６】
本体１０２は、球体、正方形又は矩形の断面を有する円筒形又は細長い形状を含めた任意の形状であってよい。好ましい一実施例において、本体は円筒形に成形される。本体１０２は、ポリカーボネート、アクリロニトリル・ブタジエン・スチレン（ＡＢＳ）又はポリスチレンなどのいずれの剛性材料で構成されてもよい。本体１０２及びチャンバ１０４は、所望される流量及び容積を達成するサイズであってよい。例えばチャンバ１０４の容積は、特定の流量を達成する、或いは特定のフロート１１２又は弁１１４のサイズを維持するように選択されてよい。本体１０２はさらに、ブリードオフ弁又は疎水性フィルタなどのフィルタ（図示せず）を備え、その結果、チャンバ１０４内から空気が逃げることを可能にする場合もある。いくつかの実施例において、本体１０２は、レンズ、或いはフローの移動又は本体１０２内のフロート位置の他の視覚的なインジケータ（図示せず）を備える。
【００１７】
好ましい一実施例において、本体１０２は、頂部ポート１０８と、頂部ポート１０８の反対側の底部ポート１１０と、頂部ポート１０８と底部ポート１１０の間に配設された側部ポート１０６とを有する。しかしながらこれらのポートは、本体１０２上のいずれの場所に配向されてもよい。例えば頂部ポート１０８及び側部ポート１０６が本体１０２の頂部に配設される場合もあり、各々のポートは、本体１０２を通りチャンバ１０４内に進入するそれぞれの流路を有する。いくつかの実施例において、ポートのいずれかは、本体１０２に結合されたキャップ１１８として形成される場合もある。好ましい一実施例において、キャップ１１８は、本体に取り外し可能に結合され、これによりチャンバ１０４へのアクセスを提供する。いくつかの実施例において、キャップ１１８は、チャンバ１０４の容積を縮小する又は拡大する、チャンバ１０４を通る流体フローを変える、或いはフロート１１２の浮力を変化させるために調節可能である。
【００１８】
図２Ｂを参照すると、弁ガイド１２２が、頂部ポート１０８に近接してチャンバ１０４内に配設されてよい。弁ガイド１２２は、上方部分１３２と、下方部分１３４とを備える。上方部分１３２の周辺部は、下方部分１３４から延出する複数の指（例えば１３６ａ、１３６ｂ、１３６ｃ）を備える。隣接する指、例えば１３６ａ及び１３６ｂは、特定の距離だけ離間された対向する縁部１３８ａ及び１３８ｂを有する。下方部分１３４の頂部縁部によって、対向する縁部１３８ａと１３８ｂの間に下方縁部１４０が形成される。対向する縁部１３８ａ及び１３８ｂ、並びに下方縁部１４０は、上方部分１３２の周辺部を通る周辺開口を形成する。図４に示される実施例を参照すると、下方部分１３４は、弁ガイド１２２の断面を貫通するように配設された１つ又は複数の長手方向に配向された孔１４２を備える。いくつかの実施例において、孔１４２は、弁ガイド１２２の中心軸からずらされている。
【００１９】
弁１１４が、上方部分１３２の指１３６ａ、１３６ｂ、１３６ｃの間に位置決めされるように、弁１１４は、頂部ポート１０８に近接してチャンバ１０４内に配設されてよい。弁１１４は、凸面と、凹面を備えるように円筒形に成形されてよく、この場合凹面の円周方向の縁部は、弁ガイド１２２の下方部分１３４と係合される、又はそれと係合するように構成される。開構成において、頂部ポート１０８からの流体フローは、キャップ１１８を通って孔１４４からチャンバ１０４に進入することができる。流体はその後、凸面の上を通過し、弁１１４の円周方向の縁部を囲むように進むことができる。上方部分１３２の周辺部を通る周辺開口が、流体が弁１１４の凹面の下を流れ、且つ下方部分１３４の孔１４２を通って流れることを可能にする。
【００２０】
チャンバ１０４内の流体が充填閾値を超えたとき、弁１１４は、頂部ポート１０８の孔１４４を塞ぐように構成されている。いくつかの実施例において、充填閾値を超えたとき、弁１１４が頂部ポート１０８の一部のみを塞ぐことで、頂部ポート１０８及び側部ポート１０６の両方からのチャンバ１０４内へのフローを可能にする。好ましくは、弁１１４の形状は、幅広の表面を有する大きなディスクであり、この場合弁１１４は、幅広の表面に対する二次流体４０４フローからの流体圧力によって作動される。いくつかの実施例において、弁１１４は、円錐形、球形、又は頂部ポート１０８を塞ぐように流体によって作動され得る任意の他の形状である。いくつかの実施例において、弁１１４は、チャンバ１０４内の流体圧力の存在によって作動される際、弾性変形される。
【００２１】
弁１１４は、可鍛性のゴム、シリコン、プラスチック又は熱可塑性エラストマーから作製されてよい。弁１１４の寸法は、特定の流体圧力において弁１１４の作動又は移動を実現するように選択されてよい。例えば弁１１４の厚さは、指定された流体レベル又は流体圧力に応答して頂部ポート１０８を部分的に又は完全に塞ぐように選択されてよい。いくつかの実施例において、弁１１４は第１の流体圧力において頂部ポート１０８を部分的に塞ぎ、その後第２の流体圧力において頂部ポート１０８を完全に塞ぐ。弁１１４を保持するように構成された弁座１２０が、頂部ポート１０８に近接して本体１０２内に配設されてよい。弁座１２０の第１の側は、チャンバ１０４内の円周方向の隆起として形成されてよく、第２の側は頂部ポート１０８によって形成されてよい。いくつかの実施例において、弁座の第２の側は、アーチ形の表面であってよい。弁ガイド１２２もまた、頂部ポート１０８に近接してチャンバ１０４内に配設されてよい。いくつかの実施例において、弁座１０２は、弁ガイド１２２及び弁１１４を保持するように構成される。弁ガイド１２２は、チャンバ１０４内で弁１１４を保持し誘導するためのバスケットとして成形されてよい。弁ガイド１２２は、その断面を貫通する１つ又は複数の孔を有し、その結果、流体フローが弁ガイド１２２を通り抜けることを可能にすることができる。好ましくは弁ガイド１２２は、弁１１４の意図しない変形から保護するために剛性材料で構成される。
【００２２】
フロート１１２が弁１１４と底部ポート１１０の間でチャンバ１０４内に配設されてよい。フロート１１２は、特定の浮力を備え、流体フローに応答して頂部ポート１０８と底部ポート１１０の間でチャンバ１０４内を移動するように構成されている。フロート１１２は、弁１１４に向かって一部分に延在する突起１２４を含んでよい。フロート１１２が上昇する際、突起１２４が弁１１４と係合することで、確実に弁１１４を作動後の位置に維持することができる。いくつかの実施例において、突起１２４と弁１１４が結合されることで、突起１２４と、弁１１４はチャンバ１０４内を一緒に移動する。弁ガイド１２２を貫通する孔によって突起１２４が、妨げられない弁ガイド１２２を通過することが可能になる。いくつかの実施例において、フロート１１２は、外側面に半径方向の突起又は溝を備え、その結果、フロートが特定のポートと接触する際、流体フローがフロート１１２を越えることを可能にする。例えばフロートが、下に下げられた位置、他の点では底部ポート１１０を塞ぐことになる位置にあるとき、流体は継続してチャンバ１０４を出て行くことができる。いくつかの実施例において、フロート１１２又はチャンバ１０４は、フロート１１２が最も下の位置にあるとき底部ポート１１０が塞がれるような環状リング１２６又はシートを備え、これにより空気がチャンバ１０４を通り抜けて患者へと進むことを阻止する。
【００２３】
チャンバ内の特定の流体レベルがフロート１１２をチャンバ内で上昇させたり下降させたりするように、フロート１１２は特定の浮力を備えてよい。フロートは、中実又は中空であってよく、空気又は発泡体を含む場合がある。好ましくはフロート１１２を作製するのに使用される材料は、特定の環境において分解しない。いくつかの実施例において、フロート１１２の全て又は一部は、非分解材料によって被覆される。フロート１１２の浮力特性は、ダイアル又は選択スイッチの回転によって変えることができる。例えばフロート１１２は、併せて結合された２つの部分として構成される場合がある。フロート１１２のこの２つの部分を回転させることでフロート１１２内の容積を増大させる又は縮小させることができる。いくつかの実施例において、フロート１１２の内部容積を変えることによってフロート１１２の浮力を変化させる。例えばフロート１１２は、フロート１１２の表面における弁を介して充填可能な内部の浮き袋を有するように構成されてよい。
【００２４】
頂部ポート１０８からの流体フローにおいて、弁１１４は開位置又は作動されない位置に留まり、フロート１１２は弁１１４と底部ポート１１０の間に留まることにより、頂部ポート１０８からの流体フローがチャンバ１０４に進入し、底部ポート１１０から出て行くことを可能にする。例えば側部ポート１０６又は頂部ポート１０８からの流体フローを取り込むことによってチャンバ１０４内の流体が充填閾値を超えたとき、この流体が弁１１４を作動させ、頂部ポート１０８を塞ぐようにさせる。加えて、フロート１１２が上昇し弁１１４と係合することで、確実に弁１１４を作動されたままにすることができる。この閉塞された構成において、チャンバ１０４内に留まる流体及び側部ポート１０６からの流体フローがチャンバ１０４内に進入し、底部ポート１１０から出て行くことになる。ひとたび流体が底部ポート１１０から流出すると、フロート１１２は、チャンバ１０４内の流体レベルに併せて下降し、頂部ポート１０８を再度開き、これにより再びフローが頂部ポート１０８を通りチャンバ１０４に進入することが可能になる。これは、チャンバ内の流体レベルに基づいてＹサイトがどのように受動的に停止し再始動するかの１つの実例である。
【００２５】
いくつかの実施例において、弁１１４及びフロート１１２は、頂部ポート１０８を部分的に塞ぐように構成されており、頂部ポート１０８及び側部ポート１０６からの組み合わされた流体フローがチャンバ１０４に進入し、底部ポート１１０から出て行くことを可能にする。チャンバ１０４内の流体が充填閾値を下回るまで低下したとき、又は側部ポート１０６からの流体フローが低下又は完了したとき開位置が達成される。開位置において、フロート１１２は下に下がり、弁１１４は係合解除する又は開くことになり、これにより頂部ポート１０８からの流体フローがチャンバ１０４に進入し、底部ポート１１０から出て行くことを可能にする。
【００２６】
いくつかの実施例において、フロート１１２は、弁１１４に係合するように構成された２つ以上の突起１２４を備える。いくつかの実施例において、本体１０２が２つ以上のチャンバ１０４及びフロート１１２を備え、その結果、図５に示されるように２つ以上の一次流体４０２又は二次流体４０４を受動的再始動Ｙサイト１００に結合することを可能にする。複数の一次流体４０２又は二次流体４０４が受動的再始動Ｙサイト１００に結合されるいくつかの実施例において、選択スイッチを利用して、チャンバ１０４内に流れる一次又は二次フローの順序を決定することができる。
【００２７】
上述の記載は、当業者が本明細書に記載される種々の構成を実施することを可能にするために提供されている。様々な図面及び構成を参照して主題の技術を詳細に記載してきたが、これらは単に例示の目的であり、主題の技術の範囲を限定するものと受け取るべきではないことを理解されたい。
【００２８】
主題の技術を実装するのに多くの他の方法があり得る。本明細書に記載される種々の機能及び要素は、主題の技術の範囲から逸脱することなく示されるものとは異なるように区分される場合もある。これらの構成に対する種々の修正形態は当業者に容易に明らかであり、本明細書で定義される包括的な原理が他の構成に適用される場合もある。よって、当分野における通常の技量を有するものによって、主題の技術の範囲から逸脱することなく主題の技術に対して多くの変更及び修正を行うことができる。
【００２９】
本明細書で使用される際、一連の要素に先行するフレーズ「少なくとも１つの」は、要素のいずれかを区別するために用語「及び」又は「又は」を有し、リストの各々の部材（すなわち各々の要素）ではなく、全体としてリストを修飾する。フレーズ「少なくとも１つの」は、リストされる各々の要素の少なくとも１つの選択を必要とせず、むしろこのフレーズは、要素のいずれか１つのうちの少なくとも１つ及び／又は要素のいずれかの組み合わせのうちの少なくとも１つ及び／又は要素の各々のうちの少なくとも１つを含む意味合いを可能にする。一実例として、フレーズ「Ａ、Ｂ及びＣのうちの少なくとも１つ」又は「Ａ、Ｂ又はＣのうちの少なくとも１つ」は各々、Ａのみ、Ｂのみ又はＣのみ、Ａ、Ｂ及びＣのいずれかの組み合わせ、並びに／或いはＡ、Ｂ及びＣの各々のうちの少なくとも１つを指す。
【００３０】
さらに、用語「含む（ｉｎｃｌｕｄｅ）」、「有する（ｈａｖｅ）」などが記載又はクレーム中で使用される範囲において、このような用語は、「備える（ｃｏｍｐｒｉｓｅ）」がクレーム中のつなぎ詞（ｔｒａｎｓｉｔｉｏｎａｌ  ｗｏｒｄ）として利用される場合に「備える（ｃｏｍｐｒｉｓｅ）」が解釈されるのと同様のやり方で包括的であることが意図されている。語句「例示的（ｅｘｅｍｐｌａｒｙ）」は、本明細書では「１つの実例、例又は例示として機能する」ことを意味するように使用されている。「例示的（ｅｘｅｍｐｌａｒｙ）」として本明細書に記載されるいずれかの実施例は必ずしも他の実施例に対して好ましい又は有利であると解釈されるべきではない。
【００３１】
単数での１つの要素に対する言及は、特別に述べられていなければ「１つ及び１つのみ」を意味することは意図されず、むしろ「１つ以上」を意味する。用語「いくつかの（ｓｏｍｅ）」は、１つ以上を指している。当業者に知られている又は当業者にその後知られるようになるべき、本開示を通して記載される種々の構成の要素に対する全ての構造上及び機能的な等価物は、参照により本明細書に明白に組み込まれており、主題の技術によって包含されることが意図されている。さらに本明細書に開示されるいずれも、そのような開示が上記の記載において明示的に列記されているかどうかに関わらず、公共に提供されることが意図されている。
【００３２】
主題の技術の特定の態様及び実施例を記載してきたが、これらは単なる一実例として提示されており、主題の技術の範囲を限定することは意図されていない。当然のことながら、本明細書に記載される新規の方法及びシステムは、その精神から逸脱することなく様々な他の形態において具現化されてよい。添付のクレーム及びその等価物は、主題の技術の精神及び範囲の範囲内にあるようなそのような形態又は修正形態を包含することが意図されている。
【００３３】
本明細書に記載されるものは少なくとも以下の概念である。
概念１  一次フローポートと出口フローポートの間に流体結合されたチャンバと、
前記チャンバに流体結合され、前記チャンバに流体を伝えるように構成された二次フローポートと、
前記一次フローポートに隣接して位置決めされ、前記チャンバ内の流体レベルに基づいて閉塞構成と開構成の間を移動するように構成され、その結果、前記一次フローポートを通って前記チャンバへと流れ込む流体フローを制御する弁と
を備える流体送達Ｙサイトデバイス。
概念２  前記弁と前記出口フローポートの間で前記チャンバ内に配設されたフロートをさらに備え、前記フロートが、（ｉ）前記チャンバ内を移動し、且つ（ｉｉ）前記チャンバ内の前記流体レベルが充填閾値を超えたとき、前記弁を前記閉塞構成に移動させるように構成される、概念１のデバイス。
概念３  前記フロートが、前記チャンバ内の前記流体レベルが前記充填閾値を下回るとき、前記弁の前記開構成への移行を可能にするように構成される、概念２のデバイス。
概念４  前記フロートが、前記チャンバ内の前記流体レベルが流出閾値を下回るとき、前記出口フローポートを塞ぐように構成される、概念２のデバイス。
概念５  前記出口フローポートに近接して配設された環状リングをさらに備え、前記フロートが、前記環状リングに係合するように構成され、その結果、前記フロートと前記リングとの係合により空気が前記出口フローポートを介して前記チャンバを出て行くことが制限される、概念４のデバイス。
概念６  前記一次フローポートに近接して前記チャンバ内に形成された弁座をさらに備える、概念１のデバイス。
概念７  前記一次フローポートに近接して前記チャンバ内に配設された弁ガイドをさらに備え、前記弁の少なくとも一部分が前記弁ガイド内に配設され、前記弁ガイドが、前記閉塞構成と前記開構成の間で前記弁を誘導するように構成される、概念１のデバイス。
概念８  前記弁が、前記一次フローポートに面するように構成された凸面と、前記一次フローポートから離れるように向くように構成された凹面とを有するディスクであり、前記ディスクが、前記チャンバ内の前記流体レベルに基づいて弾性変形されるように構成される、概念１のデバイス。
概念９  前記二次フローポートがニードルレスアクセス弁を備える、概念１のデバイス。
概念１０  前記二次フローポートが、前記チャンバの長手方向軸から約２０度から約６０度の間の相対的な角度で前記チャンバに接続される、概念１のデバイス。
概念１１  前記フロートが、前記フロートから前記弁に向かって延出する突起を備え、その結果、前記フロートが前記弁を前記閉塞構成に移動させる際、前記突起が前記弁に係合する、概念２のデバイス。
概念１２  前記突起が前記弁ガイドの中を通って延出し、前記チャンバ内に前記流体レベルが前記充填閾値を超える際、前記弁に係合する、概念１１のデバイス。
概念１３  前記フロートが可変の内部容積を有し、その結果、前記フロートの浮力を調節することができる、概念２のデバイス。
概念１４  前記フロートが前記弁を前記閉塞構成に移動させたことを視覚的に示すインジケータをさらに備える、概念２のデバイス。
概念１５  前記インジケータが、前記チャンバの壁の中にありレンズを形成する透明な窓を備える、概念１４のデバイス。
概念１６  前記チャンバが、前記チャンバ内から空気を放出するように構成された空気弁を備える、概念１のデバイス。
概念１７  Ｙサイトデバイスを介して流体を制御する方法であって、
一次フローポートと出口フローポートの間に流体結合されたチャンバを用意するステップと、
前記チャンバに流体結合され、前記チャンバに流体を伝えるように構成された二次フローポートを用意するステップと、
前記一次フローポートに隣接して位置決めされる弁を用意するステップと、
前記チャンバ内の流体レベルに基づいて閉塞構成と開構成の間で前記弁を移動させ、その結果、前記弁が前記一次フローポートを通って前記チャンバへと流れ込む流体フローを制御するステップとを含む方法。
概念１８  前記弁が、前記弁と前記出口フローポートの間で前記チャンバ内に配設されたフロートによって移動され、前記チャンバ内の前記流体フローが充填閾値を超える際、前記フロートが前記弁を前記閉塞構成に移動させる、概念１７の方法。
概念１９  前記弁を前記閉塞構成に移動させる際、前記弁を前記フロートと係合させるステップと、前記流体レベルが前記充填閾値を下回るとき、前記フロートと前記弁を係合解除するステップとをさらに含む、概念１８の方法。
概念２０  前記チャンバ内の前記流体レベルが流出閾値を下回るとき、前記出口フローポートを塞ぐステップをさらに含む、概念１８の方法。
【図１】
2020171746.tif 000003
【図２Ａ】
2020171746.tif 000004
【図２Ｂ】
2020171746.tif 000005
【図３】
2020171746.tif 000006
【図４】
2020171746.tif 000007
【図５】
2020171746.tif 000008